(57)【要約】【課題】  印刷物の体裁を保持しつつ、印刷物からその印刷物を出力させたユーザーを特定可能とする。【解決手段】  画像形成装置２は、印刷要求における原稿画像とユーザー名とを、互いに関連付けた状態で、印刷物履歴として所定の記憶装置に格納する。携帯端末装置１は、（ａ）撮影装置１８により撮影された撮影画像内で印刷物画像を抽出し、（ｂ）ユーザー問合せを、その印刷物画像とともに画像形成装置２へ送信し、（ｃ）その印刷物画像に一致する原稿画像のユーザーのユーザー名を示す応答を画像形成装置２から受信し、（ｄ）表示装置１２に、撮影画像を表示するとともに、その応答により得られたユーザー名を撮影画像内の印刷物画像に付して表示する。【選択図】  図１
2018160789.tif 000002
【特許請求の範囲】
【請求項１】
画像形成装置と、
前記画像形成装置と通信可能な携帯端末装置とを備え、
前記画像形成装置は、ユーザーの印刷要求により指定された原稿画像を印刷して得られる印刷物を出力する印刷装置と、前記原稿画像と前記ユーザーのユーザー名とを互いに関連付けた状態で印刷物履歴として所定の記憶装置に格納する印刷物履歴管理部とを備え、
前記携帯端末装置は、撮影装置と、表示装置と、ユーザー特定部とを備え、
前記ユーザー特定部は、（ａ）前記撮影装置により撮影された撮影画像内で前記印刷物の印刷物画像を抽出し、（ｂ）所定の通信装置を使用して、ユーザー問合せを、前記印刷物画像とともに前記画像形成装置へ送信し、（ｃ）所定の通信装置を使用して、前記印刷物画像に一致する前記原稿画像のユーザーのユーザー名を示す応答を前記画像形成装置から受信し、（ｄ）前記表示装置に、前記撮影画像を表示するとともに、前記応答により得られた前記ユーザー名を前記撮影画像内の前記印刷物画像に付して表示し、
前記印刷物履歴管理部は、前記携帯端末装置から前記ユーザー問合せおよび前記印刷物画像を受信すると、前記印刷物履歴に基づいて、前記印刷物画像に一致する前記原稿画像を特定し、特定した前記原稿画像に関連付けられている前記ユーザーのユーザー名を、前記ユーザー問合せの応答として前記携帯端末装置へ送信すること、
を特徴とする画像形成システム。
【請求項２】
前記ユーザー特定部は、（ａ）前記撮影装置により撮影された撮影画像内で複数の印刷物画像を抽出した場合、前記複数の印刷物画像に対して複数の識別子をそれぞれ割り当て、（ｂ）所定の通信装置を使用して、ユーザー問合せを、前記複数の識別子をそれぞれ関連付けられた前記複数の印刷物画像とともに、前記画像形成装置へ送信し、（ｃ）所定の通信装置を使用して、前記複数の印刷物画像のそれぞれに一致する前記複数の原稿画像についての複数のユーザー名を、前記複数のユーザー名に前記複数の識別子をそれぞれ関連付けた状態で示す応答を、前記画像形成装置から受信し、（ｄ）前記表示装置に、前記撮影画像を表示するとともに、前記応答により得られた前記複数のユーザー名を前記撮影画像内の前記複数の印刷物画像にそれぞれ付して表示し、
前記印刷物履歴管理部は、前記携帯端末装置から前記ユーザー問合せおよび前記複数の識別子をそれぞれ関連付けられた前記印刷物画像を受信すると、前記印刷物履歴に基づいて、前記複数の印刷物画像のそれぞれに一致する複数の原稿画像を特定し、前記応答を前記携帯端末装置へ送信すること、
を特徴とする請求項１記載の画像形成システム。
【請求項３】
原稿画像を印刷して得られる印刷物を出力する画像形成装置と通信可能であって撮影装置と表示装置とを備える携帯端末装置内のコンピューターを、
（ａ）前記撮影装置により撮影された撮影画像内で前記印刷物の印刷物画像を抽出し、（ｂ）所定の通信装置を使用して、ユーザー問合せを、前記印刷物画像とともに前記画像形成装置へ送信し、（ｃ）所定の通信装置を使用して、前記印刷物画像に一致する前記原稿画像のユーザーのユーザー名を示す応答を前記画像形成装置から受信し、（ｄ）前記表示装置に、前記撮影画像を表示するとともに、前記応答により得られた前記ユーザー名を前記撮影画像内の前記印刷物画像に付して表示するユーザー特定部として機能させるユーザー特定プログラム。
【請求項４】
ユーザーの印刷要求により指定された原稿画像を印刷して得られる印刷物を出力する印刷装置と、
前記原稿画像と前記ユーザーのユーザー名とを、互いに関連付けた状態で、印刷物履歴として所定の記憶装置に格納する印刷物履歴管理部とを備え、
前記印刷物履歴管理部は、ユーザー問合せ、および携帯端末装置により撮影された撮影画像から得られた印刷物画像を前記携帯端末装置から受信すると、前記印刷物履歴に基づいて、前記印刷物画像に一致する前記原稿画像を特定し、特定した前記原稿画像に関連付けられている前記ユーザーのユーザー名を、前記ユーザー問合せの応答として前記携帯端末装置へ送信すること、
を特徴とする画像形成装置。
【請求項５】
前記印刷物履歴管理部は、（ａ）印刷すべき前記原稿画像が前記印刷物履歴内のいずれかの原稿画像に一致する場合には、印刷すべき前記原稿画像にマーキング情報を埋め込み、前記マーキング情報を埋め込まれた前記原稿画像と前記ユーザーのユーザー名とを、互いに関連付けた状態で、前記印刷物履歴として格納し、（ｂ）印刷すべき前記原稿画像がいずれの前記印刷物履歴内の原稿画像にも一致しない場合には、印刷すべき前記原稿画像に前記マーキング情報を埋め込まず、前記マーキング情報を埋め込まれていない前記原稿画像と前記ユーザーのユーザー名とを、互いに関連付けた状態で、前記印刷物履歴として格納し、
前記印刷物は、（ａ）印刷すべき前記原稿画像が前記印刷物履歴内のいずれかの原稿画像に一致する場合には、前記マーキング情報を埋め込まれた前記原稿画像を印刷して得られ、（ｂ）印刷すべき前記原稿画像がいずれの前記印刷物履歴内の原稿画像にも一致しない場合には、前記マーキング情報を埋め込まれていない前記原稿画像を印刷して得られること、
を特徴とする請求項４記載の画像形成装置。
【請求項６】
前記印刷物履歴管理部は、印刷すべき前記原稿画像が前記印刷物履歴内のいずれかの原稿画像に一致する場合において、前記マーキング情報を埋め込まれた前記原稿画像が前記印刷物履歴内のいずれかの原稿画像に一致するときには、前記マーキング情報とは異なるマーキング情報を前記原稿画像に埋め込むことを特徴とする請求項５記載の画像形成装置。
【発明の詳細な説明】
【技術分野】
【０００１】
本発明は、画像形成システム、ユーザー特定プログラム、および画像形成装置に関するものである。
【背景技術】
【０００２】
複数のユーザーにより利用可能な画像形成装置（プリンター、複合機など）では、複数ユーザーの印刷物が出力されてトレー上などで混在する可能性がある。
【０００３】
ある画像形成装置は、印刷物を出力させたユーザーを特定可能とするために、ユーザー名を原稿画像に付加した印刷物を出力している（例えば特許文献１参照）。
【先行技術文献】
【特許文献】
【０００４】
【特許文献１】特開２００１−１１３８０１号公報
【発明の概要】
【発明が解決しようとする課題】
【０００５】
しかしながら、ユーザー名を原稿画像に付加すると、意味のある比較的長いテキスト（ユーザー名）が原稿に付加されるため、印刷物の体裁が崩れてしまう。
【０００６】
本発明は、上記の問題に鑑みてなされたものであり、印刷物の体裁を保持しつつ、印刷物からその印刷物を出力させたユーザーを特定可能な画像形成システム、並びに、その画像形成システムで使用可能な画像形成装置およびユーザー特定プログラムを得ることを目的とする。
【課題を解決するための手段】
【０００７】
本発明に係る画像形成システムは、画像形成装置と、前記画像形成装置と通信可能な携帯端末装置とを備える。前記画像形成装置は、ユーザーの印刷要求により指定された原稿画像を印刷して得られる印刷物を出力する印刷装置と、前記原稿画像と前記ユーザーのユーザー名とを互いに関連付けた状態で印刷物履歴として所定の記憶装置に格納する印刷物履歴管理部とを備える。前記携帯端末装置は、撮影装置と、表示装置と、ユーザー特定部とを備える。前記ユーザー特定部は、（ａ）前記撮影装置により撮影された撮影画像内で前記印刷物の印刷物画像を抽出し、（ｂ）所定の通信装置を使用して、ユーザー問合せを、前記印刷物画像とともに前記画像形成装置へ送信し、（ｃ）所定の通信装置を使用して、前記印刷物画像に一致する前記原稿画像のユーザーのユーザー名を示す応答を前記画像形成装置から受信し、（ｄ）前記表示装置に、前記撮影画像を表示するとともに、前記応答により得られた前記ユーザー名を前記撮影画像内の前記印刷物画像に付して表示する。前記印刷物履歴管理部は、前記携帯端末装置から前記ユーザー問合せおよび前記印刷物画像を受信すると、前記印刷物履歴に基づいて、前記印刷物画像に一致する前記原稿画像を特定し、特定した前記原稿画像に関連付けられている前記ユーザーのユーザー名を、前記ユーザー問合せの応答として前記携帯端末装置へ送信する。
【０００８】
本発明に係るユーザー特定プログラムは、原稿画像を印刷して得られる印刷物を出力する画像形成装置と通信可能であって撮影装置と表示装置とを備える携帯端末装置内のコンピューターを、（ａ）前記撮影装置により撮影された撮影画像内で前記印刷物の印刷物画像を抽出し、（ｂ）所定の通信装置を使用して、ユーザー問合せを、前記印刷物画像とともに前記画像形成装置へ送信し、（ｃ）所定の通信装置を使用して、前記印刷物画像に一致する前記原稿画像のユーザーのユーザー名を示す応答を前記画像形成装置から受信し、（ｄ）前記表示装置に、前記撮影画像を表示するとともに、前記応答により得られた前記ユーザー名を前記撮影画像内の前記印刷物画像に付して表示するユーザー特定部として機能させる。
【０００９】
本発明に係る画像形成装置は、ユーザーの印刷要求により指定された原稿画像を印刷して得られる印刷物を出力する印刷装置と、前記原稿画像と前記ユーザーのユーザー名とを、互いに関連付けた状態で、印刷物履歴として所定の記憶装置に格納する印刷物履歴管理部とを備える。そして、前記印刷物履歴管理部は、ユーザー問合せ、および携帯端末装置により撮影された撮影画像から得られた印刷物画像を前記携帯端末装置から受信すると、前記印刷物履歴に基づいて、前記印刷物画像に一致する前記原稿画像を特定し、特定した前記原稿画像に関連付けられている前記ユーザーのユーザー名を、前記ユーザー問合せの応答として前記携帯端末装置へ送信する。
【発明の効果】
【００１０】
本発明によれば、印刷物の体裁を保持しつつ、印刷物からその印刷物を出力させたユーザーを特定可能な画像形成システム、並びに、その画像形成システムで使用可能な画像形成装置およびユーザー特定プログラムが得られる。
【００１１】
本発明の上記又は他の目的、特徴および優位性は、添付の図面とともに以下の詳細な説明から更に明らかになる。
【図面の簡単な説明】
【００１２】
【図１】図１は、本発明の実施の形態に係る画像形成システムの構成を示す図である。
【図２】図２は、図１における携帯端末装置１の構成を示すブロック図である。
【図３】図３は、図１における画像形成装置２の構成を示すブロック図である。
【図４】図４は、図１に示す画像形成システムの動作について説明するシーケンス図である。
【図５】図５は、図１における携帯端末装置１に表示された印刷物画像およびユーザー名の一例を示す図である。
【図６】図６は、図１における携帯端末装置１に表示された、マーキング情報が埋め込まれた印刷物画像、およびユーザー名の一例を示す図である。
【図７】図７は、図１における携帯端末装置１に表示された複数の印刷物画像および複数のユーザー名の一例を示す図である。
【発明を実施するための形態】
【００１３】
以下、図に基づいて本発明の実施の形態を説明する。
【００１４】
図１は、本発明の実施の形態に係る画像形成システムの構成を示す図である。図１に示すシステムでは、スマートフォンなどの携帯端末装置１が、画像形成装置２を使用するユーザーにより携帯されている。携帯端末装置１と画像形成装置２とは、無線通信などで互いに通信可能となっている。なお、このシステムでは、複数のユーザーが複数の携帯端末装置１をそれぞれ有し、携帯端末装置１を使用して画像形成装置２を使用可能となっている。
【００１５】
図２は、図１における携帯端末装置１の構成を示すブロック図である。
【００１６】
携帯端末装置１は、無線通信装置１１、表示装置１２、入力装置１３、ＧＰＳ装置１４、方向検出装置１５、記憶装置１６、演算処理装置１７、および撮影装置１８を備える。
【００１７】
無線通信装置１１は、所定の無線通信規格の通信回路である。無線通信装置１１は、無線ＬＡＮインターフェイス、および／または携帯電話網のインターフェイス（ＲＦインターフェイス、ベースバンド部など）である。
【００１８】
表示装置１２は、携帯端末装置１の筐体に配置されている液晶ディスプレイなどの装置であって、各種画面をユーザーに対して表示する。
【００１９】
入力装置１３は、表示装置１２上に配置されたタッチパネル、ハードキーなどの装置であって、ユーザー操作を検出する装置である。
【００２０】
ＧＰＳ装置１４は、ＧＰＳ（Global Positioning System）で、当該ＧＰＳ装置１４、つまり携帯端末装置１の絶対位置（緯度、経度、および高度）を特定する装置である。
【００２１】
方向検出装置１５は、ジャイロセンサー、電子コンパスなどを有し、携帯端末装置１の姿勢（向き）を検出する装置である。
【００２２】
記憶装置１６は、フラッシュメモリーなどの不揮発性の記憶装置であり、プログラムおよびデータを記憶している。記憶装置１６は、アプリケーションプログラムとしてのユーザー特定プログラム１６ａを記憶している。
【００２３】
演算処理装置１７は、ＣＰＵ（Central Processing Unit）、ＲＯＭ（Read Only Memory）、ＲＡＭ（Random Access Memory）などを有するコンピューターであって、記憶装置１６やＲＯＭからＲＡＭにプログラムをロードして実行して、各種処理部として動作する。
【００２４】
この実施の形態では、演算処理装置１７は、図示せぬドライバープログラムが実行されることにより、印刷指示部２１として動作し、ユーザー特定プログラム１６ａが実行されることにより、ユーザー特定部２２として動作する。
【００２５】
印刷指示部２１は、入力装置１３に対するユーザー操作に従って、無線通信装置１１を使用して、印刷要求を画像形成装置２に送信する。
【００２６】
ユーザー特定部２２は、（ａ）撮影装置１８により撮影された撮影画像内で、印刷物の印刷物画像を抽出し、（ｂ）所定の通信装置（ここでは、無線通信装置１１）を使用して、ユーザー問合せを、その印刷物画像とともに画像形成装置２へ送信し、（ｃ）その通信装置を使用して、印刷物画像に一致する原稿画像のユーザーのユーザー名を示す応答を画像形成装置２から受信し、（ｄ）表示装置１２に、撮影画像を表示するとともに、その応答により得られたユーザー名を撮影画像内の印刷物画像に付して表示する。
【００２７】
図３は、図１における画像形成装置２の構成を示すブロック図である。
【００２８】
図１に示す画像形成装置２は、記憶装置３１、操作パネル３２、演算処理装置３３、印刷装置３４、画像読取装置３５、ファクシミリ装置３６、通信装置３７などを備える。
【００２９】
記憶装置３１は、フラッシュメモリーなどの不揮発性の書換可能な記憶装置であって、記憶装置３１には、印刷物履歴データ３１ａが格納される。
【００３０】
操作パネル３２は、筐体の上面前側に配置され、液晶ディスプレイなどの表示装置３２ａ、およびタッチパネルなどの入力装置３２ｂを備える。表示装置３２ａは、ユーザーに対して各種画面を表示し、入力装置３２ｂは、ユーザーにより入力されるユーザー操作を受け付ける。
【００３１】
演算処理装置３３は、ＣＰＵ、ＲＯＭ、およびＲＡＭを有するコンピューターであって、ＲＯＭや図示せぬ記憶装置に記憶されているプログラムをＲＡＭにロードしてＣＰＵで実行することにより、各種処理部として動作する。演算処理装置３３は、コントローラー４１および印刷物履歴管理部４２として動作する。
【００３２】
印刷装置３４は、画像データに基づき原稿画像などを印刷用紙に印刷する。具体的には、印刷装置３４は、ユーザーの印刷要求により指定された原稿画像を印刷して得られる印刷物を出力する。
【００３３】
また、画像読取装置３５は、原稿から原稿画像を光学的に読み取り、その原稿画像の画像データを生成する。ファクシミリ装置３６は、画像データに基づき原稿画像などのファクシミリ信号を生成し送信するとともに、外部からファクシミリ信号を受信しそのファクシミリ信号から画像データを生成する。通信装置３７は、無線または有線のネットワークインターフェイスなどであって、外部の装置（携帯端末装置１、パーソナルコンピューターなどの他のホスト装置など）との間でデータ通信を行う。
【００３４】
コントローラー４１は、印刷装置３４、画像読取装置３５、ファクシミリ装置３６、通信装置３７などの内部装置を制御して各種処理を実行する。例えば、コントローラー４１は、印刷要求を受信すると、その印刷要求により指定された原稿画像を印刷装置３４に印刷させる。
【００３５】
印刷物履歴管理部４２は、印刷要求内に記述されている、印刷要求元であるユーザーのユーザー名を特定し、印刷される原稿画像とそのユーザー名とを、互いに関連付けた状態で、印刷物履歴（つまり、印刷物履歴データ３１ａ）として記憶装置３１に格納する。
【００３６】
さらに、印刷物履歴管理部４２は、通信装置３７を使用して、携帯端末装置１からユーザー問合せおよび印刷物画像を受信すると、印刷物履歴（つまり、印刷物履歴データ３１ａ）に基づいて、受信した印刷物画像に一致する原稿画像を特定し、特定した原稿画像に関連付けられているユーザーのユーザー名を、ユーザー問合せの応答として携帯端末装置１へ送信する。例えば、印刷物履歴管理部４２は、印刷物履歴データ３１ａにおいて、印刷物画像に一致する原稿画像を検索する際、印刷物画像のサイズおよび形状を原稿画像のサイズおよび形状に一致するように印刷物画像または原稿画像を変倍してから、両者が一致するか否かを判定する。なお、両者が一致するか否かは、それぞれの画像における画素値の分布が所定の閾値以上の割合で一致するか、それぞれの画像から検出されるオブジェクト（文字など）が所定の閾値以上の割合で一致するか、などとして判定される。
【００３７】
次に、上記画像形成システムの動作について説明する。図４は、図１に示す画像形成システムの動作について説明するシーケンス図である。
【００３８】
まず、ユーザーは、携帯端末装置１を操作して、印刷要求を画像形成装置２へ送信させる（ステップＳ１）。
【００３９】
画像形成装置２では、コントローラー４１は、通信装置３７を使用して、その印刷要求を受信すると、印刷装置３４に印刷処理を実行させる。印刷装置３４は、その印刷要求により指定された原稿画像を印刷用紙に印刷して得られる印刷物を出力する（ステップＳ２）。
【００４０】
印刷物の出力が実行されると、印刷物履歴管理部４２は、印刷要求に含まれるユーザー名を特定し、その印刷物についての原稿画像とユーザー名とを印刷部履歴データ３１ａとして記憶装置３１に格納する（ステップＳ３）。
【００４１】
その後、そのユーザーまたは別のユーザーが、携帯端末装置１を操作して、ユーザー特定プログラム１６ａを実行し、その印刷物を撮影する（ステップＳ４）。
【００４２】
その携帯端末装置１では、ユーザー特定部２２は、撮影画像内で、印刷物画像を検索する。これにより、撮影装置１８の視野内に印刷物が存在すれば、ユーザー特定部２２は、撮影画像内で、印刷物画像を検出する（ステップＳ５）。
【００４３】
例えば、ユーザー特定部２２は、四角形（略長方形または略平行四辺形）の領域を検出し、その領域の４辺部が白色であれば、その領域の画像を印刷物画像として検出する。
【００４４】
そして、ユーザー特定部２２は、その領域の画像を抽出し、座標変換によって長方形の画像に変換し、変換後の画像を印刷物画像とし（ステップＳ６）、ユーザー問合せおよびその印刷物画像を、無線通信装置１１を使用して画像形成装置２へ送信する（ステップＳ７）。
【００４５】
画像形成装置２では、印刷物履歴管理部４２が、通信装置３７を使用して、そのユーザー問合せおよび印刷物画像を受信すると、印刷物履歴データ３１ａ内の原稿画像において、その印刷物画像を検索し、その印刷物画像に一致する原稿画像を検出すると、検出した原稿画像に関連付けられているユーザー名を特定し、特定したユーザー名を含む応答を携帯端末装置１へ送信する（ステップＳ９）。
【００４６】
携帯端末装置１では、ユーザー特定部２２は、無線通信装置１１を使用して、その応答を受信すると、その応答により示されるユーザー名を、撮影画像内で検出している印刷物画像に付して表示する（ステップＳ１０）。このとき、撮影画像は、リアルタイムで繰り返し更新され、印刷物画像は、継続して撮影画像内で検出され、その印刷物画像にユーザー名が付される。つまり、撮影装置１８の視野が移動しても、撮像画像内に印刷物画像が入っていれば、ユーザー名がその印刷物画像に追随して拡張現実（ＡＲ）的に表示される。
【００４７】
図５は、図１における携帯端末装置１に表示された印刷物画像およびユーザー名の一例を示す図である。例えば図５に示すように、撮影画像１０１における印刷物画像１０２に対して、ユーザー名の画像１０３が表示される。
【００４８】
このユーザー名の表示は、ユーザー操作に基づく撮影終了（ステップＳ１１）まで実行される。
【００４９】
ここで、互いに同一の複数の原稿画像が印刷された場合について説明する。
【００５０】
印刷物履歴管理部４２は、（ａ）印刷すべき原稿画像が印刷物履歴データ３１ａ内のいずれかの原稿画像に一致する場合には、印刷すべき原稿画像にマーキング情報を埋め込み、マーキング情報を埋め込まれた原稿画像と上述のユーザー名とを、互いに関連付けた状態で、印刷物履歴データ３１ａとして格納し、（ｂ）印刷すべき原稿画像がいずれの印刷物履歴データ３１ａ内の原稿画像にも一致しない場合には、印刷すべき原稿画像にマーキング情報を埋め込まず、マーキング情報を埋め込まれていない原稿画像と上述のユーザー名とを、互いに関連付けた状態で、印刷物履歴データ３１ａとして格納する。これにより、上述の印刷物は、（ａ）印刷すべき原稿画像が印刷物履歴データ３１ａ内のいずれかの原稿画像に一致する場合には、マーキング情報を埋め込まれた原稿画像を印刷して得られ、（ｂ）印刷すべき原稿画像がいずれの印刷物履歴データ３１ａ内の原稿画像にも一致しない場合には、マーキング情報を埋め込まれていない原稿画像を印刷して得られる。このようにすることで、互いに同一の原稿画像が印刷された場合でも、マーキング情報の有無によって区別して管理される。
【００５１】
さらに、印刷物履歴管理部４２は、印刷すべき原稿画像が印刷物履歴データ３１ａ内のいずれかの原稿画像に一致する場合において、マーキング情報を埋め込まれた原稿画像が印刷物履歴データ３１ａ内のいずれかの原稿画像に一致するときには、そのマーキング情報とは異なるマーキング情報を原稿画像に埋め込む。このようにすることで、互いに同一の原稿画像が３回以上印刷された場合でも、マーキング情報の有無およびマーキング情報の種類によって区別して管理される。
【００５２】
なお、マーキング情報は、特定形状（例えば三角形、星形など）の微小図形（例えば原稿画像内の１文字以下のサイズの図形）を原稿画像の余白に配置することで埋め込まれるようにしてもよいし、原稿画像内のテキストを特定のフォントに変更することで埋め込まれるようにしてもよい。
【００５３】
図６は、図１における携帯端末装置１に表示された、マーキング情報が埋め込まれた印刷物画像、およびユーザー名の一例を示す図である。
【００５４】
例えば、図５に示す印刷物と同一の印刷物が画像形成装置２で出力された場合、図６に示すように、印刷物画像１０６内にマーキング情報１０６ａが埋め込まれている。そのため、画像形成装置２の印刷物履歴管理部４２は、ユーザー問合せとともに受信した印刷物画像におけるマーキング情報１０６ａに基づいて、ユーザー名を特定する。これにより、同一内容の印刷物が別のユーザー（図６における「山田太郎」）によって出力された場合には、図６に示すように別のユーザーのユーザー名の画像１０７が表示される。
【００５５】
ここで、撮影画像内に複数の印刷物画像が存在する場合について説明する。
【００５６】
携帯端末装置１のユーザー特定部２２は、（ａ）撮影画像内で複数の印刷物画像を抽出した場合、その複数の印刷物画像に対して複数の識別子（例えばそれぞれ固有なインデックス番号）をそれぞれ割り当て、（ｂ）無線通信装置１１などを使用して、ユーザー問合せを、複数の識別子をそれぞれ関連付けられた複数の印刷物画像とともに、画像形成装置２へ送信し、（ｃ）無線通信装置１１などを使用して、複数の印刷物画像のそれぞれに一致する複数の原稿画像についての複数のユーザー名を、複数のユーザー名に複数の識別子をそれぞれ関連付けた状態で示す応答を、画像形成装置２から受信し、（ｄ）表示装置１２に、撮影画像を表示するとともに、その応答により得られた複数のユーザー名を撮影画像内の複数の印刷物画像にそれぞれ付して表示する。
【００５７】
その際、画像形成装置２の印刷物履歴管理部４２は、携帯端末装置１からユーザー問合せ、および複数の識別子をそれぞれ関連付けられた印刷物画像を受信すると、印刷物履歴データ３１ａに基づいて、その複数の印刷物画像のそれぞれに一致する複数の原稿画像を特定し、上述の応答を携帯端末装置１へ送信する。
【００５８】
これにより、複数の印刷物が撮影装置１８の視野に入った場合、撮影画像内で、複数の印刷物画像のそれぞれに対して、対応するユーザー名が表示される。
【００５９】
図７は、図１における携帯端末装置１に表示された複数の印刷物画像および複数のユーザー名の一例を示す図である。
【００６０】
図７に示すように、２つの印刷物画像１０２，１１１が検出された場合、対応するユーザー名がそれぞれ特定され、それらのユーザー名の画像１０３，１１２が印刷物画像１０２，１１１にそれぞれ関連付けて表示される。
【００６１】
以上のように、上記実施の形態によれば、画像形成装置２の印刷物履歴管理部４２は、印刷要求における原稿画像とユーザー名とを、互いに関連付けた状態で、印刷物履歴として所定の記憶装置に格納する。携帯端末装置１のユーザー特定部２２は、（ａ）撮影装置１８により撮影された撮影画像内で印刷物画像を抽出し、（ｂ）ユーザー問合せを、その印刷物画像とともに画像形成装置２へ送信し、（ｃ）その印刷物画像に一致する原稿画像のユーザーのユーザー名を示す応答を画像形成装置２から受信し、（ｄ）表示装置１２に、撮影画像を表示するとともに、その応答により得られたユーザー名を撮影画像内の印刷物画像に付して表示する。画像形成装置２の印刷物履歴管理部４２は、携帯端末装置１からユーザー問合せおよび印刷物画像を受信すると、印刷物履歴に基づいて、その印刷物画像に一致する原稿画像を特定し、特定した原稿画像に関連付けられているユーザー名を、ユーザー問合せの応答として携帯端末装置１へ送信する。
【００６２】
これにより、印刷物の体裁を保持しつつ、携帯端末装置１を使用して、印刷物からその印刷物を出力させたユーザーを特定可能となる。
【００６３】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００６４】
例えば、上記実施の形態において、ユーザー特定プログラム１６ａは、コンピューター読取可能な記録媒体に格納されていてもよい。その場合、その記録媒体から記憶装置１６へユーザー特定プログラム１６ａがインストールされる。
【産業上の利用可能性】
【００６５】
本発明は、例えば、画像形成システムに適用可能である。
【符号の説明】
【００６６】
１  携帯端末装置
２  画像形成装置
１２  表示装置
１６ａ  ユーザー特定プログラム
１７  演算処理装置（コンピューターの一例）
１８  撮影装置
２２  ユーザー特定部
３１  記憶装置
３１ａ  印刷物履歴データ
３４  印刷装置
４２  印刷物履歴管理部
【図１】
2018160789.tif 000003
【図２】
2018160789.tif 000004
【図３】
2018160789.tif 000005
【図４】
2018160789.tif 000006
【図５】
2018160789.tif 000007
【図６】
2018160789.tif 000008
【図７】
2018160789.tif 000009